(57)【特許請求の範囲】
【請求項１】
電解液を吸収可能な吸水性ポリマーと、
当該吸水性ポリマーを覆い、前記電解液中のイオンが透過可能な膜部材と、
前記吸水性ポリマーに電気的に接続される電極と、を備え、
前記膜部材は一部が開口した袋状をなし、開口部の近傍において内周側の円筒部材と外周側のキャップとの間に挟まれて支持されたことを特徴とする電解エッチング治具。
【請求項２】
一方側に開口し、前記膜部材を覆うハウジングを備え、
該ハウジングから前記膜部材が一方側に突出していることを特徴とする請求項１に記載の電解エッチング治具。
【請求項３】
前記ハウジングの他方側の底面に、前記電極が配置されていることを特徴とする請求項１または請求項２に記載の電解エッチング治具。
【請求項４】
請求項１から請求項３のいずれか一項に記載の電解エッチング治具を用いて、水中に配置された観察対象物をエッチングする電解エッチング方法であって、
前記電極を陰極とし、前記観察対象物を陽極として、前記膜部材を前記観察対象物に接触させながら電解エッチングすることを特徴とする電解エッチング方法。
【発明の詳細な説明】
【技術分野】
【０００１】
本発明は、水中において使用される構造部材等（観察対象物）を電解エッチングするための電解エッチング治具及び電解エッチング方法に関するものである。
【背景技術】
【０００２】
構造部材の金属組織の観察を行うためには、まず構造部材の観察対象箇所に研磨を行い、エッチング用の電解液（化学薬品）を用いて電解エッチングが行われる。そして、当該箇所に対してレプリカ採取やカメラ等を用いた直接観察によって、構造部材の割れや金属組織が把握されることになる。
水中での構造部材の電解エッチング方法として、例えば特許文献１では、構造部材の観察対象箇所の周囲をシーリングして封水した後に、観察対象箇所に対して電解液を放出し、電解エッチングを行い、そしてレプリカを採取することを提案している。
【先行技術文献】
【特許文献】
【０００３】
【特許文献１】特許第３８９０２３９号公報
【発明の概要】
【発明が解決しようとする課題】
【０００４】
ところで、原子力プラントの原子炉容器の内部の水は、厳格に水質管理されており、エッチングに用いる電解液が漏洩することを、最小限にすることが求められる。ＰＷＲプラント（加圧水型原子炉）の原子炉容器では、原子炉容器の底部に、図５で示すように、炉内計装筒管台２００と呼ばれる部位がある。この炉内計装筒管台２００には、炉内計装筒２１０と原子炉容器２２０の内面とが溶接された溶接部２３０（一般的に、Ｊ溶接部と称される。）が設けられている。この溶接部２３０は、曲率の大きな三次元曲面を有しており、このような複雑な形状の箇所においても電解エッチングを施す必要がある。
【０００５】
しかしながら、特許文献１に記載の方法で電解エッチングを行った場合、構造部材の表面形状の曲率が大きな箇所においては、観察対象箇所の周囲を完全に封水することが難しく、多量の電解液が漏洩することとなり、問題が生じる。原子炉容器の内方に凸部となるような箇所においては、特に、封水することが困難である。
【０００６】
この発明は前述した事情に鑑みてなされたものであって、水中において使用され、複雑な表面形状を有する観察対象物に電解エッチングを行う際の電解液の漏洩が少ない電解エッチング治具及び電解エッチング方法を提供することを目的とする。
【課題を解決するための手段】
【０００７】
前述の課題を解決するために、本発明の電解エッチング治具は、電解液を吸収可能な吸水性ポリマーと、該吸水性ポリマーを覆い、前記電解液中のイオンが透過可能な膜部材と、前記吸水性ポリマーに電気的に接続される電極と、を備えることを特徴としている。
【０００８】
本発明の電解エッチング治具によれば、電解液を吸収可能な吸水性ポリマーを用いているので、水中に配置された場合に、電解液が水中に漏洩（拡散）することを抑制することができる。そして、この吸水性ポリマーは、膜部材に覆われる構成とされているので、吸水性ポリマーの形状を保持することができ、膜部材の外方に吸水性ポリマーが漏れることを抑制することが可能となる。さらに、吸水性ポリマーは外力によって吸収させた液体を漏洩させることがほとんどないという特徴を有しており、これにより周囲の水への電解液の漏出を最小限にとどめることが可能である。
また、電解液を吸収可能な吸水性ポリマーに、電極が電気的に接続されているので、膜部材と接触するように対極となる電極（観察対象物）を配置し、電圧を印加した場合に、電解エッチングを行うことが可能である。
また、膜部材及び吸水性ポリマーは柔軟であり、膜部材を観察対象物の観察対象箇所に押し付けることで、観察対象物の表面形状に対応して変形させることができる。そのため、複雑な表面形状の観察対象物に対しても膜部材を確実に接触させて、電解エッチングを行うことが可能である。
【０００９】
また、一方側に開口し、前記膜部材を覆うハウジングを備え、該ハウジングから前記膜部材が一方側に突出している構成とされても良い。
このような構成にすることによって、ハウジングを操作しながらエッチングの対象物に膜部材を押し付けることができるので、取扱い性が向上する。そして、このような構成の電解エッチング治具を用いて電解エッチングを行う場合には、観察対象物（エッチング対象物）の表面形状が複雑な場合でも、ハウジングを操作しながら、容易に電解エッチングを行うことができる。
【００１０】
また、前記ハウジングの他方側の底面に、前記電極が配置されても良い。
この場合には、電極がハウジングの底面に固定されているので、膜部材と電極との距離を一定に保つことができる。そのため、電解エッチングの際には、ハウジングに配置された電極と、膜部材と接触して配置され対極とされる観察対象物との間に生じる電流を安定させてエッチングを行うことができる。
【００１１】
また、本発明の電解エッチング方法は、上述のような電解エッチング治具を用いて、水中に配置された観察対象物を電解エッチングする方法であって、前記電極を陰極とし、前記観察対象物を陽極として、前記膜部材を前記観察対象物に接触させながら電解エッチングすることを特徴している。
【００１２】
本発明の電解エッチング方法によれば、電解液を吸収可能な吸水性ポリマーと、この吸水性ポリマーを覆う膜部材を備える電解エッチング治具を用いているので、水中において電解エッチングを行う場合に、電解液が水中へ漏洩することを抑制することができる。
また、電解エッチング治具が備える電極を陰極とし、観察対象物（エッチング対象物）を陽極として電解エッチングをする構成とされているので、確実に観察対象物をエッチングすることができる。そして、観察対象物のエッチング箇所（観察対象箇所）におけるレプリカを採取したり、エッチング箇所をカメラ等で直接観察したりすることによって、観察対象物の割れや金属組織を把握することができる。この割れや金属組織の解析結果に基づいて、観察対象物の劣化の度合い等を知ることができる。
【発明の効果】
【００１３】
本発明によれば、水中において使用され、複雑な表面形状を有する観察対象物に電解エッチングを行う際の電解液の漏洩が少ない電解エッチング治具及び電解エッチング方法を提供することができる。
【図面の簡単な説明】
【００１４】
【図１】本発明の一実施形態に係る電解エッチング治具の説明図であり、（Ａ）は電解エッチング治具の断面図、（Ｂ）は電解エッチング治具の斜視図である。
【図２】一実形態に係るキャップの概略説明図である。
【図３】一実施形態に係る電解エッチング治具の製造方法の概略説明図である。
【図４】一実施形態に係る電解エッチング装置を用いて構造部材を電解エッチングする様子を説明する図であり、（ａ）は斜視図、（ｂ）はＡ−Ａ矢視図である。
【図５】炉内計装筒管台を示す図である。
【発明を実施するための形態】
【００１５】
以下に、本発明の実施の形態について添付した図面を参照して説明する。
本実施形態は、水中において使用される観察対象物（構造部材等）を電解エッチングするための電解エッチング治具、この電解エッチング治具を用いた電解エッチング装置、及び電解エッチング方法に関するものである。
【００１６】
本実施形態に係る電解エッチング治具１の断面図を図１（Ａ）に、図１（Ｂ）に斜視図を示す。電解エッチング治具１は、図１（Ａ）及び図１（Ｂ）で示すように、電解液を吸収可能な吸水性ポリマー１０と、この吸水性ポリマー１０を覆う膜部材２０と、この膜部材２０を覆う円筒部材３０と、膜部材２０及び円筒部材３０を覆うように配置されるキャップ４０と、このキャップ４０の底面（天面）に配置される電極４１とを備えている。そして、膜部材２０は、図１（Ｂ）で示すように、円筒部材３０の下方（一方側）から突出するように配置されている。
【００１７】
吸水性ポリマー１０は、吸水性ポリマー粉末が電解液を吸収して構成されるものである。吸水性ポリマー粉末としては、具体的には例えば、ポリアクリル酸ナトリウム系高分子、天然高分子等が用いられる。本実施形態においては、吸水性ポリマー粉末として、入手が容易でコストが低いポリアクリル酸ナトリウム系高分子を使用している。
吸水性ポリマー１０は半固化した状態となっており、柔軟性があるため外部からの力に応じて変形可能とされている。本実施形態においては、吸水性ポリマー１０は、膜部材２０、円筒部材３０、及びキャップ４０によって形状が保持されていて、膜部材２０の外方から吸水性ポリマー１０に力が作用すると、その外力に応じて変形できるようになっている。
【００１８】
電解液は、電解エッチングに用いられるエッチング溶液であり、電解エッチング時にエッチング作用（陽極を溶出する作用）をするためのイオンが含有されている。電解液としては、具体的には、シュウ酸水溶液、クロム酸水溶液、硝酸等が挙げられる。本実施形態においては、シュウ酸飽和水溶液を電解液として用いている。
【００１９】
膜部材２０は、吸水性ポリマー１０を覆うものであり、吸水性ポリマー１０に吸収された電解液中のイオンが透過（通過）可能とされている。この膜部材２０は、具体的には、ガーゼ、木綿生地、及びポリウレタン布（織物）等で構成されれば良く、本実施形態においては、ポリウレタン織物で構成されている。
この膜部材２０は、電解エッチング時においては、観察対象物（構造部材等）と接触するように配置され、膜部材２０を通して電解液のイオンが観察対象物に作用し、観察対象物がエッチングされることになる。
【００２０】
円筒部材３０は、樹脂製の円筒形状の部材であり、円筒部材３０の内面には膜部材２０が配置され、さらにその膜部材２０の内方には電解液を吸収可能な吸水性ポリマー１０が配置されている。円筒部材３０の両端の開口部のうち、他方側の開口部（図１において上方側の開口部）は、キャップ４０で覆われて蓋がされている。そして、一方側の開口部（図１において下方側の開口部）からは、膜部材２０が突出している。
なお、円筒部材３０は、電解液によって溶解しない、かつイオンを透過しない材料で構成されていることが好ましい。また、絶縁性が高く、膜部材と比較して硬質の材料で構成されていることが望ましい。
【００２１】
キャップ４０は、他方側（図２において上方側）に底面を有する樹脂製の筒状部材であり、円筒部材３０の側面を覆い、この円筒部材３０の側面とキャップ４０との間には膜部材２０が挟み込まれ、膜部材２０が固定されている。このキャップ４０の内方には吸水性ポリマー１０が配置されている。
なお、キャップ４０は、電解液によって溶解しない、かつイオンを透過しない材料で構成されていることが好ましい。さらには、絶縁性が高く、硬質の材料で構成されていることが望ましい。
【００２２】
キャップ４０と円筒部材３０とは、膜部材２０を介して密着した構造とされており、内方の吸水性ポリマー１０が、キャップ４０と円筒部材３０との隙間から外部に流出しないようになっている。そして、キャップ４０の底面（天面）の内方には、図１（Ａ）及び図２で示すように、吸水性ポリマー１０に電気的に接続される電極４１が配置されている。
電極４１は、キャップ４０の底面（天面）に配置され、電解エッチング時において陰極とされるものである。この電極は、具体的には、オーステナイト系ステンレス鋼、ニッケル合金等が用いられ、本実施形態においては、陰極は円板形状とされたオーステナイト系ステンレス鋼で構成されている。
さらに、この電極４１からは、図２で示すように、底面に電極線４２が設けられており、キャップ４０の底面（天面）に形成された貫通孔から電極線４２がキャップの外方に向けて延在している。電解エッチングの際には、この電極線４２は、電源の負極（−極）に接続され、電極は陰極とされ、対極（陽極）のエッチングが行われることになる。  
【００２３】
次に、上述した電解エッチング治具１の製造方法について説明する。
まず、図３（Ａ）に示すように、円筒部材３０の他方側（図３において上方側）の開口部に膜部材２０を橋渡し、膜部材２０の中央側が円筒部材３０の一方側（図３において下方側）の開口部から突出するように配置する。
そして、図３（Ｂ）に示すように、吸水性ポリマー粉末５０（ポリアクリル酸ナトリウム系高分子粉末）を膜部材２０の内方に挿入する。
次に、図３（Ｃ）に示すように、底面（天面）に電極４１と、この電極４１と接続された電極線４２とが配置されたキャップ４０を、円筒部材３０の側面を覆うように配置する（はめ込む）。この時に、円筒部材３０とキャップ４０とは隙間なく密閉となるように固定されている。また、膜部材２０は、円筒部材３０の外側の面と、キャップ４０の内側の面とに挟まれて固定される。
【００２４】
上述のように配置された円筒部材３０、膜部材２０、吸水性ポリマー粉末５０、及びキャップ４０に対して、図３（Ｄ）で示すように、円筒部材３０から突出する膜部材２０をシュウ酸飽和水溶液に浸して、膜部材２０の内方にシュウ酸飽和水溶液６０を浸水させる。そして、この膜部材２０の内方に流入したシュウ酸飽和水溶液６０を吸水性ポリマー粉末５０に吸収させる。すると、シュウ酸飽和水溶液６０を吸収した吸水性ポリマー粉末５０は膨張し、膜部材２０、円筒部材３０、及びキャップ４０で囲まれる領域は、シュウ酸飽和水溶液を吸収した吸水性ポリマー１０で満たされることとなり、電極４１と吸水性ポリマー１０が接触する状態となる。
こうして、本実施形態である電解エッチング治具１を製造することができる。
【００２５】
次に、本実施形態の電解エッチング方法について説明する。
本実施形態の電解エッチング方法は、上述した電解エッチング治具１を用いて行われるものである。
まず、電解エッチングの際に電圧を印加する電源（直流電源）を準備し、電源の負極（−極）を電解エッチング治具１の電極線４２につなぎ、電極４１を電解エッチング時の陰極とする。そして、電源の正極（＋極）を観察対象物に接続し、観察対象物を電解エッチング時の陽極とする。本実施形態においては、この観察対象物は、水中に配置されている。
【００２６】
次に、電解エッチング治具１の膜部材２０を、観察対象物の観察対象箇所と接触させて、電源をオンにし、電圧を印加する。このようにすることによって、電解エッチング治具１の電極を陰極とし、観察対象物を陽極として、吸水性ポリマー及び膜部材を介して電流が流れ、電解エッチングを行うことができ、観察対象物の表面を溶出させることが可能となる。この時に、電解液は吸水性ポリマー１０の内部に保持されているので、膜部材２０から電解液が漏洩し難くなっている。
上述のようにして水中に配置された観察対象物に対して電解エッチングを行うことができる。
【００２７】
具体的に電解エッチングを行う場合について、図４（ａ）、（ｂ）を用いて説明する。この図４（ａ）、（ｂ）においては、電解エッチング装置１００を用いて、斜めに傾斜した底面に対して円柱状の柱が伸びた構造部材１２０に電解エッチングを行っている。この底面と円柱状の継ぎ目は複雑な曲面とされており、この構造部材１２０は水中に配置されている。なお、図４（ａ）は、構造部材１２０に対して電解エッチング装置１００を用いて電解エッチングしている様子を示す斜視図、図４（ｂ）は、図４（ａ）のＡ−Ａ矢視図である。
電解エッチング装置１００は、電解エッチング治具１と、電源（図示しない）と、駆動機構１１０と、を備えており、電解エッチング治具１は、駆動機構１１０に接続されている。
【００２８】
駆動機構１１０は、駆動軸１１１と、この駆動軸１１１の下方に連結部１１２とを備えている。
駆動軸１１１は、電解エッチング治具１を所定の位置まで移動させるためのものである。本実施形態においては、図示しない遠隔操作装置を作動させることによって、駆動軸１１１が所定の位置まで移動することができるようになっている。
【００２９】
連結部１１２は、駆動軸１１１と電解エッチング治具１のキャップ４０とを接続するように配置されている。この連結部１１２は、駆動軸１１１の下方に配置された支持部１１３によって駆動軸１１１と接続されている。連結部１１２は、支持部１１３を中心に回転することができるようになっており、遠隔操作装置を作動させることによって、電解エッチング治具１を所定の位置へと移動させることができるようになっている
電源は、直流電源であり、電源の負極は、電解エッチング治具の電極線（図４（ａ）、（ｂ）においては、図示されていない。）と接続されている。そして、電源の正極は、構造部材１２０（観察対象物）に接続されている。
【００３０】
このように構成された電解エッチング装置１００の電解エッチング方法について説明する。
まず、電解エッチング装置１００の膜部材２０が、構造部材１２０の観察対象箇所に接触するように、駆動軸１１１と連結部１１２とを移動させる。この時の、膜部材２０が観察対象箇所に接触する圧力は、遠隔操作装置によって制御できるようになっている。
【００３１】
そして、電源をオンにすると、電解エッチング治具１の電極を陰極とし、構造部材１２０を陽極とし、膜部材２０及び吸水性ポリマー１０を介して電流が流れ、構造部材１２０がエッチングされる。膜部材２０及び吸水性ポリマー１０は柔軟なので、構造部材１２０が複雑な表面形状をしている場合であっても表面形状に応じて変形し、観察対象箇所をエッチングすることが可能である。また、電解液は吸水性ポリマー１０に吸収（保持）されているので、膜部材２０の外方に電解液が漏洩し難くなっている。そして、観察対象箇所が所定量エッチングされた後に、レプリカを採取したり、該当箇所をカメラで直接観察したりすることによって構造部材１２０の電解エッチング箇所（観察対象箇所）の割れの状態や金属組織を把握することができるようになっている。
【００３２】
本実施形態に係る電解エッチング治具１によれば、電解液を吸収し半固化状態とされている吸水性ポリマー１０を用いているので、水中に配置された場合に電解液が水中に漏洩（拡散）することを抑制することができる。そして、この吸水性ポリマー１０は、膜部材２０、円筒部材３０、及びキャップ４０に覆われる構成とされているので、吸水性ポリマー１０の形状を保持し、膜部材２０の外方に吸水性ポリマー１０が漏れることを抑制することができる。
【００３３】
また、本実施形態では、キャップ４０の底面（天面）に電極が配置され、電解液を吸収可能な吸水性ポリマー１０と、電極４１とが接触するように配置される構成とされている。そして、電解液中のイオンが透過可能な膜部材２０と接触するように観察対象物を配置し、電解エッチング治具１の電極を陰極、観察対象物を陽極として電解エッチングをすることによって、観察対象物をエッチングすることができる。
【００３４】
また、本実施形態では、膜部材２０は、柔軟なポリウレタン織物で構成されているので、膜部材２０の表面に外力が加わると、その外力に応じて膜部材２０及び吸水性ポリマー１０が変形することができる。そのため、膜部材２０を観察対象物に押し付けた際に、観察対象物の表面の形状に応じて膜部材２０及び吸水性ポリマー１０が変形することができ、観察対象物が複雑な形状であっても十分に接触させることが可能である。
【００３５】
また、膜部材２０は、円筒部材３０及びキャップ４０によって覆われているので、電解エッチング治具１の取り扱いが容易であり、観察対象物に容易に膜部材２０を接触させることが可能である。
さらに、キャップ４０の底面（天面）に電極４１が配置される構成とされているので、電解エッチング治具１の電極４１と、膜部材２０に接触される観察対象物との距離を一定に保つことができる。そのため、電解エッチングをする際に、電解エッチング治具１の電極４１と観察対象物の間に生じる電流を安定させることができ、電解エッチングを行うことができる。
【００３６】
本実施形態に係る電解エッチング方法によれば、電解液を吸収した吸水性ポリマー１０と、この吸水性ポリマー１０を覆う膜部材２０を備える電解エッチング治具１を用いているので、水中において電解エッチングを行う場合に、電解液が水中へ漏洩することを抑制することができる。また、電解エッチング治具１が備える電極４１を陰極とし、観察対象物（エッチング対象物）を陽極として電解エッチングをする構成とされているので、確実に観察対象物をエッチングすることができる。そして、観察対象物のレプリカを採取したり、観察対象物をカメラ等で観察したりすることによって、観察対象物の割れや金属組織を把握することができる。この割れや金属組織の解析結果に基づいて、観察対象物の劣化の度合い等を知ることができる。
【００３７】
本実施形態に係る電解エッチング装置１００によれば、上述した電解エッチング治具１と、電源と、駆動機構１１０とを備える構成とされているので、観察対象物の所定の位置に電解エッチング治具１を配置することができ、観察対象物の所定の位置を電解エッチングすることが可能である。また、この駆動機構１１０は遠隔操作装置で操作できるようになっているので、原子炉の炉壁のような人が安易に近づけないような箇所においても、電解エッチングを行うことが可能である。
【００３８】
以上、本発明の一実施形態である、水中において使用される観察対象物（構造部材等）を電解エッチングするための電解エッチング治具、この電解エッチング治具を用いた電解エッチング方法、及び電解エッチング装置について説明したが、本発明はこれに限定されることはなく、この発明の技術的思想を逸脱しない範囲で適宜変更することが可能である。
【００３９】
なお、上記実施の形態では、吸水性ポリマーは、膜部材、円筒部材、及びキャップによって覆われ保持される構成について説明したが、吸水性ポリマーは、膜部材のみによって包まれる構成とされても良い。また、円筒部材及びキャップによって覆われる場合でなく、一方側に開口したハウジングと、膜部材とによって吸水性ポリマーが覆われる構成とされても良い。
【００４０】
また、上記実施の形態では、キャップの他方側の底面（天面）に電極を配置する場合について説明したが、電極は、吸水性ポリマーと電気的に接続されるように配置すれば良い。
【００４１】
また、上記実施の形態では、電解エッチング装置が駆動機構を備え、駆動機構は駆動軸と、連結部とを有する構成について説明したが、連結部はなくても良い。また、連結部は３次元的に移動可能な移動アームとされても良い。
【符号の説明】
【００４２】
１  電解エッチング治具
１０  吸水性ポリマー
２０  膜部材
３０  円筒部材
４０  キャップ
４１  電極
【図１】
0005886074.tif 000002
【図２】
0005886074.tif 000003
【図３】
0005886074.tif 000004
【図４】
0005886074.tif 000005
【図５】
0005886074.tif 000006